(57)【要約】      （修正有）【課題】フルートの足部管においてＢ♭に対応するキーを設け、かつ、レバー操作を比較的容易に行えるようにする。【解決手段】胴部管に接続される一端側から他端側に向かって順にＤ♯キー、Ｃ♯キー、Ｃキー、Ｂキー、Ｂ♭キーが５つ配列して設けられるフルートの足部管Ｘとして、Ｃキーに連動する足部管の長手方向に平行な回転軸を有するローラーからなるレバー部材であるＣレバー部材４０ｃ及びＢキーに連動する足部管の長手方向に平行な回転軸を有するローラーからなるレバー部材であるＢレバー部材４０ｄを足部管の周方向に並んで配置し、Ｂ♭キーに連動するレバー部材４０ｅを、並んだＣレバー部材及びＢレバー部材の他端側に隣接して配置する。【選択図】図１
0003200582.tif 000002
【実用新案登録請求の範囲】
【請求項１】
胴部管に接続される一端側から他端側に向かって順にＤ♯キー、Ｃ♯キー、Ｃキー、Ｂキー、Ｂ♭キーが５つ配列して設けられるフルートの足部管であって、
Ｃキーに連動する足部管の長手方向に平行な回転軸を有するローラーからなるレバー部材であるＣレバー部材及びＢキーに連動する足部管の長手方向に平行な回転軸を有するローラーからなるレバー部材であるＢレバー部材が足部管の周方向に並んで配置され、Ｂ♭キーに連動するレバー部材が並んだ前記Ｃレバー部材及びＢレバー部材の他端側に隣接して配置される
フルートの足部管。
【請求項２】
前記Ｂ♭キーに連動するレバー部材は、足部管の長手方向に直交する回転軸を有するローラーからなるものである
請求項１に記載のフルートの足部管。
【考案の詳細な説明】
【技術分野】
【０００１】
本考案は、フルートの足部管に関し、特に、最低音としてＢ♭が出せるものに関する。
【背景技術】
【０００２】
フルートは、歌口が設けられる頭部管、頭部管に連結される胴部管、胴部管に連結される足部管から構成される。足部管は、一般的はＣが最低音となるＣ足部管とＣ足部管より半音低い音が出せるＨ足部管の２種類が用いられている。
図４（ａ）にＣ足部管の正面図を、図４（ｂ）にＣ足部管の側面図を示す。Ｃ足部管は、キーが３つであり、３つのレバー部材４０ａ〜４０ｃを押さえることでトーンホールを塞ぐカップ３０ａ〜３０ｃを操作する。Ｃキーに連動するレバー部材４０ｃは足部管の長手方向に平行な回転軸回りに回転する細いローラー状に形成され、残りのレバー部材４０ａ、４０ｂは板状に形成される。
また、図５にＨ足管の正面図を示す。Ｈ足部管はＣ足部管にさらにキーを加えて４つのキーを有するもので、Ｂキーが追加され、Ｃキーのレバー部材４０ｃに平行に追加されたＢキーを操作するローラー状のレバー部材４０ｄが設けられる。
【考案の概要】
【考案が解決しようとする課題】
【０００３】
ところで、足部管をさらに長くしてＢ♭を出せるようにする場合、Ｂ♭キーを操作するレバー部材をローラー状として、Ｈ足部管のＢキーを操作するレバー部材４０ｄに平行に設けることが考えられる。しかし、このようにすると４つのレバー部材が足部管の周面に沿って並ぶこととなる一方で、足部管の運指は小指のみで行うので、レバー操作が極めて困難になるという問題が生じる。
本考案は、このような問題に鑑みて、フルートの足部管においてＢ♭に対応するキーを設け、かつ、レバー操作を比較的容易に行えるようにすることを課題とする。
【課題を解決するための手段】
【０００４】
上記課題を解決するために、本考案は、次のような構成を有する。
請求項１に記載の考案は、胴部管に接続される一端側から他端側に向かって順にＤ♯キー、Ｃ♯キー、Ｃキー、Ｂキー、Ｂ♭キーが５つ配列して設けられるフルートの足部管であって、Ｃキーに連動する足部管の長手方向に平行な回転軸を有するローラーからなるレバー部材であるＣレバー部材及びＢキーに連動する足部管の長手方向に平行な回転軸を有するローラーからなるレバー部材であるＢレバー部材が足部管の周方向に並んで配置され、Ｂ♭キーに連動するレバー部材が、前記並んだＣレバー部材及びＢレバー部材の他端側に隣接して配置されるものである。
請求項２に記載の考案は、前記フルートの足部管において、前記Ｂ♭キーに連動するレバー部材は、足部管の長手方向に直交する回転軸を有するローラーからなるものである。
【考案の効果】
【０００５】
以上のような構成により、本考案は、次のような効果を奏する。
請求項１に記載の考案は、Ｂ♭キーに連動するレバー部材がＣキー、Ｂキーのレバー部材よりも足部管の端部側に配置されるので、小指の左右方向の動きでＢ♭に連動するレバー部材を押さえることができ、比較的容易な小指のレバー操作でＢ♭の音を出すことができる。
請求項２に記載の考案は、Ｂ♭キーに連動するレバー部材の形状を足部管の長手方向に直交する回転軸を有するローラーとすることで、小指を足部管の端部方向にずらす力でレバー部材を押さえることができるので、よりスムーズにＢ♭キーのレバー操作を行うことができる。
【図面の簡単な説明】
【０００６】
【図１】実施形態に係るフルートの足部管の正面図である。
【図２】実施形態に係るフルートの足部管の分解図である。
【図３】変形例に係るフルートの足部管の正面図である。
【図４】（ａ）は従来のＣ足部管の正面図であり、（ｂ）は従来のＣ足部管の側面図である。
【図５】従来のＨ足部管の正面図である。
【考案を実施するための形態】
【０００７】
以下、本考案の実施の形態について、図面を参照しながら説明する。
図１に本実施形態に係るフルートの足部管Ｘの正面図を示し、図２に足部管Ｘの分解図を示す。
足部管Ｘは基本構造は従来の足部管と同じであり、キーシステムによってレバー部材４０ａ〜４０ｅを小指で押すことでカップ３０ａ〜３０ｅが連動し、タンポが装着されたカップ３０ａ〜３０ｅによって管本体１０に設けられたトーンホール１１ａ〜１１ｅを塞ぐことができるように構成されている。キーシステムはポスト１２により固定される芯金２０を回転軸として、芯金２０が内部に通るパイプに連結されるカップ３０ａ〜３０ｅと小指で操作するレバー部材４０ａ〜４０ｅとから構成される。
足部管Ｘのトーンホール１１ａ〜１１ｅは５つ設けられ、胴部管に近い側から４つのトーンホール１１ａ〜１１ｄは従来のＨ足部管とほぼ同じである。開放端側にある５つめのトーンホール１１ｅはＢ♭キーに対応するものであり、足部管Ｘはこのトーンホール１１ｅを形成して低い音を出すために従来のＨ足部管よりも長く形成される。胴部管に近い側から４つのトーンホール１１ａ〜１１ｄを操作するためのレバー部材４０ａ〜４０ｄの配置は従来のＨ足部管とほぼ同じである。即ち、Ｄ♯キーに対応するトーンホール１１ａを塞ぐためのレバー部材４０ａは板体からなり、胴部管に近い端部に位置する。Ｃ♯キーに対応するトーンホール４０ｂを塞ぐためのレバー部材４０ｂは板体からなり、レバー部材４０ａの隣、下端寄りに配置される。Ｃキーに対応するトーンホール４０ｃを塞ぐためのレバー部材４０ｃは足部管の長手方向に平行な回転軸周りに回転するローラーからなり、レバー部材４０ｂの足部管周面に沿った上側に配置される。Ｂキーに対応するトーンホール４０ｄを塞ぐためのレバー部材４０ｄは、足部管の長手方向に平行な回転軸周りに回転するローラーからなり、レバー部材４０ｃの足部管周面に沿った上側に配置される。
Ｂ♭キーに対応するトーンホール４０ｅを塞ぐためのレバー部材４０ｅは、足部管の長手方向に直交し、足部管の外周面のレバー部材４０ｂ〜４０ｄの配列方向にほぼ平行な回転軸周りに回転するローラーからなり、レバー部材４０ｂ〜４０ｄの開放端側に隣接するように配置される。なお、このレバー部材４０ｅは、レバー部材４０ｃの付け根に被さるよう配置されており、レバー部材４０ｅが押下されると、レバー部材４０ｃも押下されるように設定されている。
以上のような構成を有する足部管Ｘを装着するフルートは、最低音としてＢ♭を出す場合に、小指を少し開放端側にずらすことで、レバー部材４０ｃ、４０ｄを押さえた状態で、Ｂ♭キーに対応するレバー部材４０ｅを押下でき、また、レバー部材４０ｅは足部管の周面に接するような回転軸周りに回転し小指をずらす動きで押下することができるので、小指にあまり負担をかけることなくＢ♭の音を出すことが可能となる。
【０００８】
なお、上記実施形態では、Ｂ♭キーに対応するレバー部材４０ｅをローラーにしているが、図３に示す足部管Ｙのように平らなプレートに置き換えることもできる。
さらに、上記実施形態ではＢ♭を最低音とする足部管を示したが、レバー部材４０ｅを足部管に直交するローラーとすることで足部管の長手方向の移動距離が小さくできるので、レバー部材４０ｅのさらに開放端側の隣に同様のローラー形状のレバー部材を１以上配置しても小指で操作でき、さらに低音を出すことができる足部管を形成することも可能である。
【符号の説明】
【０００９】
Ｘ、Ｙ  フルートの足部管
１０  管本体
１１ａ、１１ｂ、１１ｃ、１１ｄ、１１ｅ  トーンホール
１２  ポスト
２０  芯金
３０ａ、３０ｂ、３０ｃ、３０ｄ、３０ｅ  カップ
４０ａ、４０ｂ、４０ｃ、４０ｄ、４０ｅ  レバー部材
【図１】
0003200582.tif 000003
【図２】
0003200582.tif 000004
【図３】
0003200582.tif 000005
【図４】
0003200582.tif 000006
【図５】
0003200582.tif 000007